(57)【特許請求の範囲】
【請求項１】
ダクト部の両側にＶ形に傾斜したウイング部を一体に設け、このウイング部の下方に位置するダクト部の両側面に、その長手方向に沿って所定の間隔で温風吹出し口を開口して金属製の温風ダクトを形成し、この温風ダクトの上面側を屋外に露出させて樋を構成すると共に、下面側を温室内に配置して、連棟ハウスの屋根の谷部に取付け、前記ウイング部の上部に屋根用フィルムの下端を接続すると共に、前記ダクト部を温風暖房機に接続したことを特徴とする連棟ハウスの融雪装置。
【請求項２】
ウイング部の上部に屋根用フィルムの固定部を一体に形成したことを特徴とする請求項１記載の連棟ハウスの融雪装置。
【発明の詳細な説明】
【０００１】
【発明の属する技術分野】
本発明は、農業用ハウスなどを組立てるパイプハウスを複数併設した連棟ハウスの融雪装置に関するものである。
【０００２】
【従来の技術】
一般に、パイプを用いた簡易な農業用ハウスは、逆Ｕ字形に形成したフレーム用パイプを所定の間隔で地面に取付けて、このフレーム用パイプの上を透明なプラスチックフイルムで覆ってカマボコ形に組立てられている。この農業用ハウスはカマボコ形に組立てた単棟ハウスと、連続したカマボコ形の連棟ハウスとがある。連棟ハウスは、単棟ハウスのように隣接するハウスとの間にむだな空間（デッドスペース）がないため、耕地面積を有効に利用できるだけでなく、内部に仕切りがなく集約して栽培できるので作業性が良い。更に単位栽培面積に比べて壁面積が少なく外気との接触面積が少ないので、暖房を行なう場合に省エネルギー化できる利点がある。
【０００３】
またカマボコ形の単棟ハウスは、積もった雪が屋根面を滑り落ちるため、雪の重みによりハウスが倒壊する問題が少ない。しかしながら連続したカマボコ形の連棟ハウスでは谷部が形成されるため、降雪地帯ではこの谷部に雪が溜ってその重量によりハウスが潰れて倒壊してしまう問題があり、降雪地帯では連棟ハウスを設置することができなかった。
【０００４】
このため降雪地帯で連棟ハウスを設置する場合には、連棟ハウスの屋根の谷部に、棟方向に沿って樋を取付け、この樋に散水パイプを設けて、屋根から滑り落ちて谷部の樋に溜った雪を水により融雪する構造も提案されている。しかしながらこの装置では地下水が容易に得られる場所に限定され、また地下水を汲み上げるための井戸堀などに費用がかかるため普及していない。
【０００５】
このため本発明者は、連棟ハウスの屋根の谷部に、棟方向に沿って樋を取付け、この樋に温水循環パイプを設けると共に、ハウスの内側の谷部近傍に、温風ダクトを配置して、ここから谷部に向けて温風を吹き出す吹出し口を開口した連棟ハウスの融雪装置を先に開発して提案した（特願平１０−７３４３６）。
【０００６】
しかしながらこの構造は、温室を加熱する温風暖房機と、温水循環パイプに流す温水を加熱するボイラーの最低２台の機器が必要となり、設備費や運転コストが高くなる問題があった。また温水循環パイプに温水を流していない運転停止中の状態で外気が零下になると、パイプ内の水が凍結して運転立ち上がりまでに時間がかかる問題があった。
【０００７】
【発明が解決しようとする課題】
本発明は上記問題点を除去し、連棟ハウスの谷部に溜った雪を温風暖房機で効率よく融雪して雪の重みによる倒壊を防止して、降雪地帯においても耕地面積を有効に利用できる連棟ハウスの設置を可能にした連棟ハウスの融雪装置を提供するものである。
【０００８】
【課題を解決するための手段】
本発明の請求項１記載の連棟ハウスの融雪装置は、ダクト部の両側にＶ形に傾斜したウイング部を一体に設け、このウイング部の下方に位置するダクト部の両側面に、その長手方向に沿って所定の間隔で温風吹出し口を開口して金属製の温風ダクトを形成し、この温風ダクトの上面側を屋外に露出させて樋を構成すると共に、下面側を温室内に配置して、連棟ハウスの屋根の谷部に取付け、前記ウイング部の上部に屋根用フィルムの下端を接続すると共に、前記ダクト部を温風暖房機に接続したことを特徴とするものである。
【０００９】
更に請求項２記載の連棟ハウスの融雪装置は、ウイング部の上部に屋根用フィルムの固定部を一体に形成したことを特徴とするものである。
【００１０】
【発明の実施の形態】
以下本発明の実施の一形態を図１ないし図４を参照して詳細に説明する。図において１は逆Ｕ字形のフレーム用パイプで、これはアーチ形に湾曲させた屋根部パイプ１ａと直状の柱部パイプ１ｂとをパイプ継手２で連結したものである。３は地中に埋設した地中基礎で、この上にＣ型のチャンネル材で形成した基礎４を取付け、この側面に約40〜50cmの間隔で、半割円筒状の挿着金具５…が溶接され、ここに柱部パイプ１ｂの下端部が挿着されてフレーム用パイプ１が組立てられている。
【００１１】
また隣接するフレーム用パイプ１、１は、その谷部１０に立設した柱部パイプ１ｂ、１ｂが連結金具６、６で連結されている。このフレーム用パイプ１、１を組立てたら、この上からプラスチックフイルム７を取付けて二連形の連棟ハウスを完成する。ここまでの構造は従来と同様であるが、本発明は更に連棟ハウスの屋根９の谷部１０に、棟方向に沿ってアルミニウムの押出し材など金属で形成された温風ダクト１２が取付けられている。
【００１２】
この温風ダクト１２は図２に示すように断面円形状をなすダクト部１３の両側にＶ形に傾斜したウイング部１４、１４が一体に押出成形されて、このウイング部１４、１４の下方に位置するダクト部１３の両側面に、長手方向に沿って所定の間隔で温風吹出し口１５…が開口されている。更に傾斜したウイング部１４、１４の上縁部には開口部が狭くなった屋根用フィルムの固定部１６、１６が長手方向に沿って一体に形成されている。
【００１３】
この温風ダクト１２の取付けは図３に示すように、谷部１０に立設した柱部パイプ１ｂ、１ｂの上部に取付けたパイプ継手２、２の上に支持金具１８が設けられ、更にこのパイプ継手２、２の上に連結された屋根部パイプ１ａ、１ａにも支持金具１９、１９が接続されている。これら支持金具１８、１９の上に金属板をＵ形状に湾曲した連結部支持板２０が取付けられている。この連結部支持板２０は長さが２０〜３０ｃｍに形成され、長さが３ｍ程度ある温風ダクト１２、１２の端部を接合して、この接合部分を載せて支持するようになっている。
【００１４】
また温風ダクト１２はそのＶ形のウイング部１４、１４の下面に連結部支持板２０を介して支持金具１９にボルトで接合されている。従って温風ダクト１２、１２の接合部は連結部支持板２０の上に支持され、中間部分は図４に示すように連結部支持板２０で支えられていない。またこの温風ダクト１２は傾斜して取付けられ、この端部に図１に示すように温風暖房機２１が接続されて内部に温風が流れるようになっている。
【００１５】
また傾斜したウイング部１４、１４の上縁部には図３に示すように屋根用フィルムの固定部１６、１６が一体に形成され、この開口部からプラスチックフイルム７の下端が挿着されて止め具で固定されて屋根９が構成されている。従って谷部１０に傾斜して配置した温風ダクト１２は、この上面側が屋外に露出して樋２３を形成していると共に、下面側が温室内に配置され、ダクト部１３の両側面に所定の間隔で温風吹出し口１５…が前記傾斜したウイング部１４、１４の下方に位置するようになっている。
【００１６】
上記構成の融雪装置は、図１に示すように冬期に雪が降って連棟ハウスの屋根９に積もると、連棟ハウスの屋根９に積もった雪２４は、内部が温風暖房器１５で暖房されて温度が高く、しかも表面が平滑なプラスチックフイルム７で覆われて逆Ｕ字形に形成されているので滑り落ちる。側面側に滑り落ちた雪２４は問題がないが、谷側に滑り落ちた雪２４は谷部１０の樋２３の上に溜まる。
【００１７】
この樋２３は温風ダクト１２のダクト部１３の上面に形成され、この内部を温風暖房機２１からの温風が流れて加熱されているので図４に示すように樋２３に接触している雪２４は融雪され、融けた水は樋２３によって排出される。また樋２３の底部となるダクト部１３に接触している雪２４は効率よく融雪されるが、積もった雪２４の内部に次第に空洞部分が形成されて融雪効果が少なくなる。
【００１８】
このため本発明では、ダクト部１３の両側面に開口した温風吹出し口１５…から温風が吹き出すようになっている。つまりダクト部１３内を流れる温風が温風吹出し口１５…から吹き出して上昇すると、この上方に傾斜して設けたウイング部１４、１４に当ってここが加熱される。また傾斜したウイング部１４はダクト部１３と一体に成形されているので、ここからの熱伝導によっても同時に加熱される。
【００１９】
ウイング部１４、１４が加熱されると、ここに接触している雪２４は溶かされてシャーベット状となって滑り易くなり樋２３の底部側にズレ落ちてくる。この結果、空洞部分が解消されて常時、ダクト部１３に接触した状態となるので、急速に融雪することができる。この場合、傾斜したウイング部１４の温度が７℃程度になると積もった雪２４は接触面でシャーベット状になり易い。本発明の装置を２ｍ以上の積雪地域の畑に設置した連棟ハウスで実験したところ、１晩に３０cm以上のドカ雪が降っても効率よく融雪して連棟ハウスの倒壊を防止できることが確認された。なお上記説明では温風ダクト１２の接続部を連結部支持板２０で支持する構造について示したがこれを設けずに、支持金具１９だけで温風ダクト１２を支持するようにしても良い。
【００２０】
図５ないし図７は本発明の他の実施の形態を示すもので、図５はダクト部１３の上部を円形状に形成し、下部側を断面角型に形成した温風ダクト１２である。また図６はダクト部１３を角型に形成したもので、更に図７はダクト部１３の上面を平板にしてここに複数本の連続した突起部２５を形成し、下部側をＶ形状に形成したものである。この突起部２５は雪２４との接触面積が拡大し、更に効率よく融雪することができる。
【００２１】
【発明の効果】
以上説明した如く本発明の請求項１記載の融雪装置によれば、連棟ハウスの谷部に温風ダクトで形成された樋を設けて、ここに溜った雪を温風ダクトで融雪する共に、温風ダクトに設けたウイング部を加熱してここに接触した雪をシャーベット状にして滑り落すことにより空洞部の発生を防止しながら効率よく融雪して連棟ハウスの倒壊を防止することができる。
【００２２】
その上、耕地面積を有効に利用できると共に作業性が良く、しかも融雪は温室の暖房に用いる温風暖房機を兼用できるので設備費が安く、暖房の省エネルギー化も図れ、降雪地帯における連棟ハウスの設置を可能にすることができる。
【００２３】
更に、温風ダクトの両側面に温風吹出し口が開口されているので、ここからダクト部内を流れる温風が吹き出して上昇すると、この上方に傾斜して設けたウイング部に当ってここが加熱され、更に効率よく融雪することができる。更に請求項２記載の融雪装置は、ウイング部の上部に屋根用フィルムの固定部を一体に形成してあるのでプラスチックフイルムの取付け作業が容易である。
【図面の簡単な説明】
【図１】本発明の実施の一形態による連棟ハウスの融雪装置を示す断面図である。
【図２】図１に示す連棟ハウスの谷部に設けた温風ダクトの斜視図である。
【図３】図１に示す連棟ハウスの谷部に設けた融雪装置の要部を拡大して示す断面図である。
【図４】図２に示す融雪装置に溜った雪を融雪している状態を示す断面図である。
【図５】本発明の他の実施の形態による温風ダクトを示す断面図である。
【図６】本発明の他の実施の形態による温風ダクトを示す断面図である。
【図７】本発明の他の実施の形態による温風ダクトを示す断面図である。
【符号の説明】
１フレーム用パイプ
１ａ柱部パイプ
１ｂ屋根部パイプ
２パイプ継手
４基礎
７プラスチックフイルム
９屋根
１０谷部
１２温風ダクト
１３ダクト部
１４傾斜したウイング部
１５温風吹出し口
１６屋根用フィルムの固定部
１８支持金具
１９支持金具
２０連結部支持板
２１温風暖房機
２３樋
２４雪
【図１】
0004084897.tif 000002
【図２】
0004084897.tif 000003
【図３】
0004084897.tif 000004
【図４】
0004084897.tif 000005
【図５】
0004084897.tif 000006
【図６】
0004084897.tif 000007
【図７】
0004084897.tif 000008